(57)【要約】【課題】ファンも含めた製品全体を洗うことが容易にできる空気清浄機を提供する。【解決手段】集塵フィルタ２１と、脱臭フィルタ２２と、遠心ファン２４と、完全密閉構造の電装部２３(モータ３１を含む)とが分割可能に組み合わされる。上記集塵フィルタ２１と脱臭フィルタ２２と遠心ファン２４と電装部２３(モータ３１を含む)を本体ケーシング１０内に収納する。上記本体ケーシング１０に回転自在に支持された遠心ファン２４と電装部２３のモータ３１の回転軸３１aが磁気カップリングにより結合している。【選択図】図１
2010119983.tif 000002
【特許請求の範囲】
【請求項１】
フィルタ部(２１,２２)と、ファン(２４)と、モータ(３１)を含む電装部(３３)とが分割可能に組み合わされた空気清浄機であって、
上記モータ(３１)を含む電装部(３３)は、完全密閉された構造であり、
上記フィルタ部(２１,２２)と、上記ファン(２４)と、上記モータ(３１)を含む電装部(３３)とが収納される本体ケーシング(１０)を備え、
上記本体ケーシング(１０)に回転自在に支持された上記ファン(２４)と上記モータ(３１)の回転軸(３１a)が磁気カップリングにより結合していることを特徴とする空気清浄機。
【請求項２】
請求項１に記載の空気清浄機において、
上記密閉構造の電装部(３３)内に、直接操作する操作部なしにリモートコントローラからの指令信号を受信する受信部(３５)と、上記受信部(３５)を介して上記指令信号を受ける制御部(３３)とを配置していることを特徴とする空気清浄機。
【請求項３】
請求項１に記載の空気清浄機において、
上記密閉構造の電装部(３３)に設けられたラビリンス構造の中に配置されたセンサ部(３４)を備えたことを特徴とする空気清浄機。
【請求項４】
請求項１から３までのいずれか１つに記載の空気清浄機において、
上記本体ケーシング(１０)の裏面側に取り外し自在に取り付けられ、上記ファン(２４)を回転自在に支持する裏面パネル(１２)を備え、
上記本体ケーシング(１０)から上記裏面パネル(１２)を外すとき、上記ファン(２４)と上記モータ(３１)の回転軸(３１a)との上記磁気カップリングによる結合が外れて、上記ファン(２４)が上記裏面パネル(１２)と共に外れることを特徴とする空気清浄機。
【請求項５】
請求項１から３までのいずれか１つに記載の空気清浄機において、
上記モータ(３１)を含む電装部(３３)が上記本体ケーシング(１０)に取り外し自在に取り付けられていることを特徴とする空気清浄機。
【発明の詳細な説明】
【技術分野】
【０００１】
この発明は、空気清浄機に関する。
【背景技術】
【０００２】
従来、空気清浄機としては、本体ケーシング内に形成される空気通路を構成する前面部材やフィルタ収納部材およびその空気通路に配設されたファンを本体ケーシングから取り外して、取り外した前面部材,フィルタ収納部材およびファンを洗浄できるものがある(例えば、特開２００４−２１１９９０号公報(特許文献１)参照)。
【０００３】
しかしながら、上記空気清浄機では、本体ケーシングから取り外した部材以外は、洗うことができないという欠点がある。
【特許文献１】特開２００４−２１１９９０号公報
【発明の開示】
【発明が解決しようとする課題】
【０００４】
そこで、この発明の課題は、ファンも含めた製品全体を洗うことが容易にできる空気清浄機を提供することにある。
【課題を解決するための手段】
【０００５】
上記課題を解決するため、この発明の空気清浄機は、
フィルタ部と、ファンと、モータを含む電装部とが分割可能に組み合わされた空気清浄機であって、
上記モータを含む電装部は、完全密閉された構造であり、
上記フィルタ部と、上記ファンと、上記モータを含む電装部とが収納される本体ケーシングを備え、
上記本体ケーシングに回転自在に支持された上記ファンと上記モータの回転軸が磁気カップリングにより結合していることを特徴とする。
【０００６】
上記構成の空気清浄機によれば、フィルタ部とファンと完全密閉構造の電装部(モータを含む)が分割可能に組み合わされて本体ケーシングに収納され、本体ケーシングに回転自在に支持されたファンと電装部のモータの回転軸が磁気カップリングにより結合しているので、本体ケーシングからフィルタ部,ファンおよび電装部を容易に取り外して、ファンも含めた製品全体を洗うことが容易にできる。また、モータを含む電装部が完全密閉されているので、フィルタ部とファンと電装部を分解せずに組み合わされたままで洗うことが可能である。
【０００７】
また、一実施形態の空気清浄機では、
上記密閉構造の電装部内に、直接操作する操作部なしにリモートコントローラからの指令信号を受信する受信部と、上記受信部を介して上記指令信号を受ける制御部とを配置している。
【０００８】
上記実施形態によれば、直接操作する操作部なしにリモートコントローラからの指令信号を受信部を介して制御部が受けることによって、操作部からの水の侵入を防止できる。
【０００９】
また、一実施形態の空気清浄機では、
上記密閉構造の電装部に設けられたラビリンス構造の中に配置されたセンサ部を備えた。
【００１０】
上記実施形態によれば、室内の臭いなどを検出するセンサ部を、密閉構造の電装部に設けられたラビリンス構造の中に配置することによって、センサ部が室内空気に暴露していても電装部内に水が侵入しにくい。
【００１１】
また、一実施形態の空気清浄機では、
上記本体ケーシングの裏面側に取り外し自在に取り付けられ、上記ファンを回転自在に支持する裏面パネルを備え、
上記本体ケーシングから上記裏面パネルを外すとき、上記ファンと上記モータの回転軸との上記磁気カップリングによる結合が外れて、上記ファンが上記裏面パネルと共に外れる。
【００１２】
上記実施形態によれば、本体ケーシングから裏面パネルを外すとき、ファンとモータの回転軸との磁気カップリングによる結合が外れて、ファンが裏面パネルと共に外れるので、回転駆動されるファンに手が触れることがなく、安全性が向上する。
【００１３】
また、一実施形態の空気清浄機では、上記モータを含む電装部が上記本体ケーシングに取り外し自在に取り付けられている。
【００１４】
上記実施形態によれば、モータを含む電装部を本体ケーシングに取り外すことによって、電装部と本体ケーシングのそれぞれの丸洗いが容易になる。
【発明の効果】
【００１５】
以上より明らかなように、この発明の空気清浄機によれば、ファンも含めた製品全体を洗うことが容易にできる空気清浄機を実現することができる。
【発明を実施するための最良の形態】
【００１６】
以下、この発明の空気清浄機を図示の実施の形態により詳細に説明する。
【００１７】
図１はこの発明の実施の一形態の空気清浄機の断面模式図を示している。この空気清浄機は、図１に示すように、本体ケーシング１０と、上記本体ケーシング１０の前面側に設けられた吸込口１０aに取り外し自在に取り付けられた前面パネル１１と、上記本体ケーシング１０の後面側に取り外し自在に取り付けられた裏面パネル１２とを備える。上記前面パネル１１には、複数の開口(図示せず)が設けられている。また、上記空気清浄機は、本体ケーシング１０内の前面パネル１１の風下側に配置された集塵フィルタ２１と、本体ケーシング１０内の集塵フィルタ２１の風下側に配置された脱臭フィルタ２２とを備えている。さらに、上記空気調和機は、本体ケーシング１０に取り外し自在に取り付けられた電装部２３を備え、その電装部２３内に、モータ３１と、上記モータ３１の回転軸３１aの先端に取り付けられたマグネット部３２と、上記モータ３１を制御する制御部３３と、室内温度を検出するセンサ部の一例としての臭いセンサ３４と、リモートコントローラ４０からの赤外線による指令信号を受信する受信部３５とを有している。上記電装部２３は、完全密閉された構造をしており、臭いセンサ３４と制御部３３との間の信号線も、シールされた状態で電装部２３内に引き込まれる。
【００１８】
なお、図１では、図を見やすくするため、受信部３５は、電装部２３内の臭いセンサ３４の後面側に示しているが、実際はリモートコントローラ４０からの指令信号を受信するのに好適な電装部２３の前面側に、赤外線を通す窓部(図示せず)を設けて、その窓部の電装部２３内に受信部３５が配置されている。
【００１９】
また、上記制御部３３は、マイクロコンピュータと入出力回路などからなり、臭いセンサ３４により検出された室内温度および受信部３５により受信されたリモートコントローラ４０からの指令信号に基づいて、モータ３１を制御する。
【００２０】
また、上記本体ケーシング１０に遠心ファン２４が、裏面パネル１２に立設された軸部１３に回転自在に支持されている。上記遠心ファン２４の軸部１３と反対の側にマグネット部２５を取り付けている。上記電装部２３内のモータ３１側のマグネット部３２と遠心ファン２４側のマグネット部２５により、モータ３１の回転軸３１aと遠心ファン２４とが磁気カップリングにより結合している。
【００２１】
上記モータ３１側のマグネット部３２と遠心ファン２４側のマグネット部２５は夫々、対向面側がＮ極の永久磁石とＳ極の永久磁石が交互に周方向に配置され、結合時は対向するＮ極とＳ極が引き寄せられることにより、モータ３１の駆動力を遠心ファン２４に伝達する。なお、磁気カップリングの構成は、これに限らず、他の構成の磁気カップリングを用いてもよい。
【００２２】
また、上記臭いセンサ３４は、密閉構造の電装部２３に設けられたラビリンス構造Ｓの中に配置されている。
【００２３】
上記空気清浄機において、制御部３３によりモータ３１を回転させると、モータ３１の駆動力が磁気カップリングを介して遠心ファン２４に伝達されて遠心ファン２４が回転する。そうして、遠心ファン２４により吸込口１０aから吸い込まれた室内空気は、集塵フィルタ２１と脱臭フィルタ２２を介して本体ケーシング１０の上側かつ後面側に設けられた吹出口１０bから上方に吹き出す。
【００２４】
上記空気清浄機は、図２の分解図に示すように、前面パネル１１と集塵フィルタ２１と脱臭フィルタ２２と電装部２３(モータ３１を含む)と本体ケーシング１０と裏面パネル１２(遠心ファン２４を含む)に分解することができる。
【００２５】
上記構成の空気清浄機によれば、集塵フィルタ２１と脱臭フィルタ２２と遠心ファン２４と完全密閉構造の電装部２３(モータ３１を含む)が分割可能に組み合わされて本体ケーシング１０に収納され、本体ケーシング１０に回転自在に支持された遠心ファン２４とモータ３１の回転軸３１aが磁気カップリングにより結合しているので、本体ケーシング１０から集塵フィルタ２１と脱臭フィルタ２２,遠心ファン２４(裏面パネル１２を含む)および電装部２３を容易に取り外して丸洗いが可能となる。したがって、遠心ファン２４も含めた製品全体を洗うことが容易にできる空気清浄機を実現することができる。このように丸洗いすることにより、拭き掃除や掃除機により埃を吸い取る掃除よりも空気清浄機をより清潔に保つことができる。
【００２６】
この場合、分解しても電装部２３内の充電部や回転物に触れることがないため、安全性が向上する。また、モータ３１を含む高圧回路を電装部２３内に密閉しているので、万一発火しても外部への延焼を防止できる。
【００２７】
また、直接操作する操作部なしにリモートコントローラ４０からの指令信号を受信部３５を介して制御部３３が受けることによって、操作部からの水の侵入を防止することができる。
【００２８】
また、室内の臭いを検出する臭いセンサ３４を、密閉構造の電装部２３に設けられたラビリンス構造Ｓの中に配置することによって、臭いセンサ３４が室内空気に暴露していても電装部２３内に水が侵入しにくい。なお、臭いセンサ３４以外に、センサ部として埃センサや室内の湿度を検出する湿度センサまたは室内の温度を検出する温度センサ等の他のセンサを、密閉構造の電装部に設けられたラビリンス構造の中に配置してもよい。
【００２９】
また、本体ケーシング１０から裏面パネル１２を外すとき、遠心ファン２４とモータ３１の回転軸３１aとの磁気カップリングによる結合が外れて、遠心ファン２４が裏面パネル１２と共に外れるので、回転駆動される遠心ファン２４に手が触れることがなく、安全性が向上する。
【００３０】
また、モータ３１を含む電装部２３を本体ケーシング１０に取り外すことによって、電装部２３と本体ケーシング１０のそれぞれの丸洗いが容易になる。
【００３１】
上記実施の形態では、フィルタ部として集塵フィルタ２１と脱臭フィルタ２２を備えた空気清浄機について説明したが、フィルタ部はこれに限らず、ウィルスを除去するバイオフィルタ等の他のフィルタを用いてもよい。
【００３２】
また、上記実施の形態では、遠心ファン２４を用いたが、軸流ファン等の他のファンを用いてもよい。
【００３３】
また、上記実施の形態では、直接操作する操作部を設けることなく、丸洗い可能なように完全密閉された電源スイッチ(図示せず)のみを設けたが、完全密閉された操作部を設けた空気清浄機にこの発明を適用してもよい。
【００３４】
なお、上記実施の形態では、本体ケーシング１０から集塵フィルタ２１と脱臭フィルタ２２,遠心ファン２４(裏面パネル１２を含む)および電装部２３を取り外して丸洗いしたが、モータを含む電装部が完全密閉されているので、フィルタ部とファンと電装部を分解せずに組み合わされたままで洗うことも可能である。
【図面の簡単な説明】
【００３５】
【図１】図１はこの発明の実施の一形態の空気清浄機の断面模式図である。
【図２】図２は上記空気清浄機の分解図である。
【符号の説明】
【００３６】
１０…本体ケーシング
１０a…吸込口
１０b…吹出口
１１…前面パネル
１２…裏面パネル
１３…軸部
２１…集塵フィルタ
２２…脱臭フィルタ
２３…電装部
２４…遠心ファン
２５…マグネット部
３１…モータ
３１a…回転軸
３２…マグネット部
３３…制御部
３４…臭いセンサ
３５…受信部
４０…リモートコントローラ
【図１】
2010119983.tif 000003
【図２】
2010119983.tif 000004